(57)【特許請求の範囲】
【請求項１】
医療用診療台と、この近傍に配置されるとともに共通の支持アームに支持された顕微鏡及び照明装置とを備え、
上記照明装置は、上記支持アームの先端に設けられており、
上記顕微鏡は、上記照明装置の光源からの光を導光する導光路を備え、かつ、上記支持アームの先端に、変位手段を介して上記照明装置に対して上下相互回転変位可能に設置され、不使用時には上記照明装置の上方に変位可能とされる一方、使用時には該照明装置の下方に変位可能とされ、この下方位置では、該照明装置の光源からの光の照射上に上記導光路が位置づけられて該光を、当該顕微鏡の光源に利用可能としていることを特徴とする顕微鏡付診療台。
【請求項２】
請求項１において、
上記医療用診療台は、その背板部が座席部に対して傾動可能であって、前記支持アームは、その基端が前記背板部に設置され、かつ、平行リンク機構を備えていることを特徴とする顕微鏡付診療台。
【請求項３】
請求項１において、
上記医療用診療台は、その座席部が昇降可能であって、前記座席部背面の長手対象軸近傍に前記支持アームの基端が水平旋回自在に固定されていることを特徴とする顕微鏡付診療台。
【請求項４】
請求項１〜３の何れかにおいて、
前記医療用診療台の位置制御用フートコントローラーに、上記顕微鏡の操作スイッチを設けたことを特徴とする顕微鏡付診療台。
【請求項５】
請求項１〜４の何れかにおいて、
上記支持アームには、前記顕微鏡を所望の位置に移動可能な駆動手段が設けられている顕微鏡付診療台。
【請求項６】
請求項１〜５の何れかにおいて、上記顕微鏡は、その画像を撮影可能なカメラ部を備えている顕微鏡付診療台。
【請求項７】
請求項６において、
上記顕微鏡のカメラ部は、撮影された画像を表示、記録等が可能なディスプレー部に連結されている顕微鏡付診療台。
【請求項８】
請求項１〜７の何れかにおいて、
上記顕微鏡には、レーザーポインターが設けられている顕微鏡付診療台。
【発明の詳細な説明】
【０００１】
【発明の属する技術分野】
本発明は、歯科治療、医科治療等において使用される顕微鏡付診療台に関し、詳しくは、医療用診療台と、この近傍に配置され、支持アームに支持された顕微鏡とからなる顕微鏡付診療台に関する。
【０００２】
【従来の技術】
図６（ａ），（ｂ）は、従来の顕微鏡付診療台を示す側面図及び平面図である。
【０００３】
この顕微鏡付診療台１００は、医療用診療台１０１と、支持アーム１０２の先端に設置された顕微鏡１０３とより成る。
【０００４】
医療用診療台１０１は、背板部１１１と座席部１１２とより成り、この座席部１１２は昇降可能であって、かつ、背板部１１１は座席部１１２に対して傾動可能に設けられている。
【０００５】
また、この座席部１１２の片側には、支持アーム１０２が固定されており、その先端に顕微鏡１０３が設置されている。
【０００６】
支持アーム１０２は、複数本のアーム１２１、１２１が連結された構造のもので、これらアーム１２１が関節機構１２２或いは昇降機構１３２によって、顕微鏡１０３を所望の位置に移動可能にしている。
【０００７】
なお、図示しないが、医療用診療台１０１の近傍には、患者の患部等を照明するための照明装置を備えた照明用支持具が一般に設けられている。
【０００８】
この顕微鏡付診療台１００には、医療用診療台１０１の背板部１１１や座席部１２１を作動するための位置制御用フートコントローラー１０４が連結されており、医師が、この位置制御用フートコントローラー１０４の操作部を１１４を足で操作することによって、医療用診療台１０１に載置された患者の位置を容易に調節できる。
【０００９】
【発明が解決しようとする課題】
しかし、支持アーム１０２の先端に設置された顕微鏡１０３を作動させるための操作部１１３は、この顕微鏡１０３に隣接された位置或いは支持アーム１０２の適所に設けられていた。
【００１０】
そのため、医師等は、顕微鏡１０３を操作するには、例えば歯科等の治療を一旦中断し、この操作部１１３を操作した後、再度上記治療を行う必要があり、顕微鏡１０３を操作するときの作業性が悪く、手間を要するという問題があった。
【００１１】
本発明は、かかる問題を解決しようとするもので、医師等は、両手で歯科等の治療を行いながら、しかも顕微鏡の操作をも容易に行うことができる顕微鏡付診療台を提供することを目的とする。
【００１２】
【課題を解決するための手段】
上記目的を達成するため、請求項１に係る顕微鏡付診療台は、医療用診療台と、この近傍に配置されるとともに共通の支持アームに支持された顕微鏡及び照明装置とを備え、上記照明装置は、上記支持アームの先端に設けられており、上記顕微鏡は、上記照明装置の光源からの光を導光する導光路を備え、かつ、上記支持アームの先端に、変位手段を介して上記照明装置に対して上下相互回転変位可能に設置され、不使用時には上記照明装置の上方に変位可能とされる一方、使用時には該照明装置の下方に変位可能とされ、この下方位置では、該照明装置の光源からの光の照射上に上記導光路が位置づけられて該光を、当該顕微鏡の光源に利用可能としていることを特徴にしている。
【００１３】
このものでは、顕微鏡には導光路が設けられ、且つ照明装置に対して変位可能な変位手段を設けているので、上記照明装置の光の照射上に、上記顕微鏡の導光路を位置づけて、照明装置の光源からの光を顕微鏡の光源として利用することができる。
【００１４】
請求項２に係る顕微鏡付診療台は、請求項１において、上記医療用診療台は、その背板部が座席部に対して傾動可能であって、前記支持アームは、その基端が前記背板部に設置され、かつ、平行リンク機構を備えていることを特徴にしている。
【００１５】
このものでは、傾動可能な背板部に設置された平行リンク機構を備えた支持アームに顕微鏡が設置されているので、背板部の傾動に関わりなく、顕微鏡を所定の角度に維持することができる。
【００１６】
請求項３に係る顕微鏡付診療台は、請求項１において、上記医療用診療台は、その座席部が昇降可能であって、前記座席部背面の長手対象軸近傍に前記支持アームの基端が水平旋回自在に固定されていることを特徴にしている。
【００１７】
このものでは、昇降可能な座席部背面の長手対象軸近傍に支持アームが水平旋回自在に固定され、この支持アームの先端部に顕微鏡が設置されているので、不使用時に顕微鏡を左右何れにも旋回させておける。
【００１８】
また、座席部の昇降に関わりなく、座席部と顕微鏡との距離を一定に保つことができる。
【００１９】
請求項４に係る顕微鏡付診療台は、請求項１〜３の何れかにおいて、前記医療用診療台の位置制御用フートコントローラーに、上記顕微鏡の操作スイッチを設けたことを特徴とする。
【００２０】
このものでは、医療用診療台の位置制御用フートコントローラーに、顕微鏡の操作スイッチが設けられているので、医師等は、両手で歯科等の治療を行いながら、顕微鏡の操作をも行うことができる。
【００２１】
請求項５に係る顕微鏡付診療台は、請求項１〜４の何れかにおいて、上記支持アームには、前記顕微鏡を所望の位置に移動可能な駆動手段が設けられている。
【００２２】
このものでは、支持アームには、顕微鏡を所望の位置に移動可能な駆動手段が設けられているので、例えば、この顕微鏡を使用しないときには、手動或いは電動によって、これを患者や術者の邪魔にならない所定の位置に待避させることができる。
【００２３】
請求項６に係る顕微鏡付診療台は、請求項１〜５の何れかにおいて、上記顕微鏡は、その画像を撮影可能なカメラ部を備えている。
【００２４】
このものでは、顕微鏡は、カメラ部を備えているので、顕微鏡の画像を撮影することができる。
【００２５】
請求項７に係る顕微鏡付診療台は、請求項６において、上記顕微鏡のカメラ部は、撮影された画像を表示、記録等が可能なディスプレー部に連結されている。
【００２６】
このものでは、顕微鏡のカメラ部は、ディスプレー部に連結されているので、術者が顕微鏡で見ている画像と同画像をアシスタントや患者などがパソコンの画面上等で同時に見ることができるうえ、その画像データを容易に記録できる。
【００２７】
請求項８に係る顕微鏡付診療台は、請求項１〜７の何れかにおいて、上記顕微鏡には、レーザーポインターが設けられている。
【００２８】
このものでは、顕微鏡にレーザーポインターが設けられているので、レーザーポインターの照射光を患部などに合わせるだけで、顕微鏡の方向を容易に設定することができる。
【００２９】
【発明の実施の形態】
以下、本発明に係る顕微鏡付診療台Ａを図面に基づき説明する。
【００３０】
本発明に係る顕微鏡付診療台Ａは、歯科治療や医科治療等のときに使用されるものであるが、本実施例では歯科治療に用いるものを例示して説明する。
【００３１】
図１は、本発明に係る顕微鏡付診療台を示す側面図、図２は、図１の平面図である。
【００３２】
この顕微鏡付診療台Ａは、医療用診療台１と、支持アーム２の先端に設置された顕微鏡３とより成る。
【００３３】
また、顕微鏡付診療台Ａの片側には、一般に、患者がうがいなどを行なうスピットン部Bが設置されており、更に、医療用診療台１の近傍には、患者の患部等を照明するための無影灯などの照明装置Ｃ１を備えた照明用支持具Ｃが設けられている。
【００３４】
医療用診療台１は、背板部１１と座席部１２を備え、この座席部１２は昇降可能であって、かつ、背板部１１は座席部１２に対して傾動可能に設けられている。
【００３５】
医療用診療台１の床面には、背板部１１や座席部１２を作動するための位置制御用フートコントローラー１３が連結されており、医師が、この位置制御用フートコントローラー１３の操作部１４を足で操作することによって、医療用診療台１に載置された患者の位置を容易に調節できる。
【００３６】
本発明は、この位置制御用フートコントローラー１３に、顕微鏡３の操作スイッチ１５を設けたことを特徴にしており、そのため、医師等は、位置制御用フートコントローラー１３の操作スイッチ１５を足で操作することによって、両手で歯科等の治療を行いながら、同時に顕微鏡３の操作をも行うことができる。
【００３７】
支持アーム２は、複数本のアーム２１、２１が連結された構造のもので、これらアーム２１、２１が関節機構２２によって、顕微鏡３を所望の位置に移動可能にしている。
【００３８】
この支持アーム２の基端は、背板部１１の片側に固定されるが、本実施例の背板部１１には、平行リンク機構２３が内装されており、この平行リンク機構２３を介して支持アーム２が固定されている。
【００３９】
ここで、平行リンク機構２３とは、例えば、平行四辺形の各頂点が回動可能に形成されたものであって、その対向される一組の片の一方に背板部１１を固定し、他方の片に支持アーム２を固定すれば、この背板部１１と支持アーム２は、常に平行状態を維持できる機構を意味しており、要するに、背板部１１の動作に関係なく支持アーム２が常に平行状態を維持できる機構であれば足りる。
【００４０】
そのため、図中想像線で示すように、背板部１１が略水平状態から鉛直状態に傾動されても、この背板部１１の傾動に関わりなく、平行リンク機構２３によって支持アーム２を同位置に維持し、その先端の顕微鏡３を所定の角度に維持することができる。
【００４１】
図３は、本発明に係る顕微鏡付診療台の他の実施例を示す平面図である。
【００４２】
この顕微鏡付診療台Ａは、図２のものに比べ、支持アーム２の基端の固定位置が相違されており、支持アーム２は、昇降可能な座席部１２の背面の長手対象軸１２ａ近傍に支持アーム２が水平旋回自在に固定されている。
【００４３】
すなわち、本図では、座席部１２の背面（裏側面）であって、且つ、座席部１２の長手方向の中心線上に支持アーム２の基端部２４が水平旋回自在に固定されており、その支持アーム２の先端に顕微鏡３が設置されている。
【００４４】
そのため、顕微鏡３の不使用時には、この顕微鏡３を座席部１２の長手対象軸１２ａを中心にして左、右側の何れにも回避させることができ、しかも、座席部１２の昇降に関わりなく、座席部１２と顕微鏡３との距離を一定に保つことができる。
【００４５】
図４（ａ），（ｂ）は、本発明に係る顕微鏡付診療台の更に他の実施例を示す要部側面図である。
【００４６】
図４（ａ）は、顕微鏡が不使用状態の側面図であり、図４（ｂ）は、顕微鏡を使用状態の側面図を示している。
【００４７】
この顕微鏡付診療台Ａは、照明装置Ｃ１を備えた医療用診療台１と、照明装置Ｃ１と共通の支持アーム２に支持された顕微鏡３とからなり、ここでは、図１〜図３で示された照明装置Ｃ１を備えた照明用支持具Ｃ、或いは顕微鏡３を備えた支持アーム２の先端に、これら照明装置Ｃ１及び顕微鏡３を設けたものを示している。
【００４８】
図示された顕微鏡３は、支持アーム２（Ｃ）の先端に設けられた照明装置Ｃ１を支持する軸部３３に一端を枢着し、他端に顕微鏡３が枢着された変位手段３２を設けており、この変位手段３２によって、顕微鏡３が図中矢印で示すように、上下相互回転変位可能に設置されている。
【００４９】
また、顕微鏡３には、一般に対象物に照射される光源が内装されているが、ここでの顕微鏡３は、照明装置Ｃ１の光源からの光を導光する導光路３１が設けられ、照明装置Ｃ１の光源からの光を、顕微鏡３の光源に利用可能としている。
【００５０】
このような顕微鏡付診療台Ａによれば、顕微鏡３には導光路３１が設けられ、且つ照明装置Ｃ１に対して変位可能な変位手段３２を設けているので、照明装置Ｃ１の光の照射上に、顕微鏡３の導光路３１が位置づけられ、照明装置Ｃ１の光源からの光を顕微鏡３の光源として利用することができる。
【００５１】
また、図１〜図４で示された支持アーム２には、顕微鏡３を所望の位置に移動可能な駆動手段（不図示）を設けることもできる。
【００５２】
この駆動手段（不図示）とは、手動或いは電動によって顕微鏡３を所望の位置に移動可能な手段を意味している。
【００５３】
例えば、上記された支持アーム２の関節機構２２も駆動手段の一例であり、顕微鏡３を手動によって所望の位置に移動可能にできる。
【００５４】
また、この関節機構２２にモーター等を連動させることで、この関節機構２２を電動で駆動させることもできる。
【００５５】
このように支持アーム２に、顕微鏡３を所望の位置に移動可能な駆動手段（不図示）を設けることで、例えば、顕微鏡３を使用しないときには、手動或いは電動によって、これを患者や術者の邪魔にならない所定の位置に待避させることができる。
【００５６】
図５は、本発明に係る顕微鏡の他の例を示す使用状態図である。
【００５７】
図１〜図４で示された顕微鏡３には、その画像を撮影可能なカメラ部４を備えることもできる。
【００５８】
例えば、顕微鏡３には、対象物が写し出された画像を見るための覗き窓部３４が設けられているが、この顕微鏡３の本体部適所に、上記画像を撮影するカメラ部４を併設することもできる。
【００５９】
このカメラ部４には、一眼レフカメラ、デジタルカメラ、ＣＣＤカメラなど、静止画又は動画像を撮影できる公知のものが利用できる。
【００６０】
このように顕微鏡３にカメラ部４を備えれば、対象物を肉眼で見ると共に、その画像を撮影することができる。
【００６１】
また、カメラ部４は、撮影された画像を表示、記録等が可能なディスプレー部５に連結することもできる。
【００６２】
例えば、カメラ部４をパソコンなどのディスプレー部５に連結すれば、その画像を顕微鏡３とは別の画面上で見ることができ、術者が顕微鏡３で見ている画像と同画像をアシスタントや患者などが同時に見ることができるうえ、その画像データを容易に記録できる。
【００６３】
なお、カメラ部４にデジタルビデオカメラを用いて、カメラ部４とディスプレー部５とを一体化することもできる。
【００６４】
更に、顕微鏡３には、レーザーポインター６を設けることもできる。
【００６５】
すなわち、顕微鏡３のレンズ部６１の適所に、患部などに照射可能なレーザーポインター６を設ければ、このレーザーポインター６の照射光を患部などに合わせるだけで、顕微鏡３のレンズ部６１の方向を容易に設定することができる。
【００６６】
【発明の効果】
本発明によれば、次のような効果がある。
【００６７】
請求項１に係る顕微鏡付診療台によれば、顕微鏡には導光路が設けられ、且つ照明装置に対して変位可能な変位手段を設けているので、上記照明装置の光の照射上に、上記顕微鏡の導光路を位置づけて、照明装置の光源からの光を顕微鏡の光源として利用することができる。
【００６８】
請求項２に係る顕微鏡付診療台によれば、傾動可能な背板部に設置された平行リンク機構を備えた支持アームに顕微鏡が設置されているので、背板部の傾動に関わりなく、顕微鏡を所定の角度に維持することができる。
【００６９】
請求項３に係る顕微鏡付診療台によれば、昇降可能な座席部背面の長手対象軸近傍に支持アームが水平旋回自在に固定され、この支持アームの先端部に顕微鏡が設置されているので、不使用時に顕微鏡を左右何れにも旋回させておける。また、座席部の昇降に関わりなく、座席部と顕微鏡との距離を一定に保つことができる。
【００７０】
請求項４に係る顕微鏡付診療台によれば、医療用診療台の位置制御用フートコントローラーに、顕微鏡の操作スイッチが設けられているので、医師等は、両手で歯科等の治療を行いながら、顕微鏡の操作をも行うことができる。
【００７１】
請求項５に係る顕微鏡付診療台によれば、支持アームには、顕微鏡を所望の位置に移動可能な駆動手段が設けられているので、例えば、この顕微鏡を使用しないときには、手動或いは電動によって、これを患者や術者の邪魔にならない所定の位置に待避させることができる。
【００７２】
請求項６に係る顕微鏡付診療台によれば、顕微鏡は、カメラ部を備えているので、顕微鏡の画像を撮影することができる。
【００７３】
請求項７に係る顕微鏡付診療台によれば、顕微鏡のカメラ部は、ディスプレー部に連結されているので、術者が顕微鏡で見ている画像と同画像をアシスタントや患者などがパソコンの画面上等で同時に見ることができるうえ、その画像データを容易に記録できる。
【００７４】
請求項８に係る顕微鏡付診療台によれば、顕微鏡にレーザーポインターが設けられているので、レーザーポインターの照射光を患部などに合わせるだけで、顕微鏡の方向を容易に設定することができる。
【図面の簡単な説明】
【図  １】本発明に係る顕微鏡付診療台を示す側面図
【図  ２】図１の平面図
【図  ３】本発明に係る顕微鏡付診療台の他の実施例を示す平面図
【図  ４】（ａ），（ｂ）は、本発明に係る顕微鏡付診療台の更に他の実施例を示す要部側面図
【図  ５】本発明に係る顕微鏡の他の例を示す使用状態図
【図  ６】（ａ），（ｂ）は、従来の顕微鏡付診療台を示す側面図及び平面図
【符号の説明】
Ａ    顕微鏡付診療台
Ｃ１  照明装置
１    医療用診療台
１１  背板部
１２  座席部
１２ａ長手対象軸
１３  位置制御用フートコントローラー
１５  操作スイッチ
２    支持アーム
２１  アーム
２３  平行リンク機構
３    顕微鏡
３１  導光路
４    カメラ部
５    ディスプレー部
６    レーザーポインター
【図１】
0004404504.tif 000002
【図２】
0004404504.tif 000003
【図３】
0004404504.tif 000004
【図４】
0004404504.tif 000005
【図５】
0004404504.tif 000006
【図６】
0004404504.tif 000007